(57)【要約】  活動量取得システム（１１０）は、ユーザが第１センサ（１０１）を携帯している第１期間におけるユーザの第１活動量を取得する第１取得部（１１１）と、第２センサ（１０２）が設置された空間にユーザが存在する第２期間におけるユーザの第２活動量を取得する第２取得部（１１２）と、第１活動量と第２活動量とを統合することによりユーザの活動量を取得する統合部（１１３）とを備え、統合部（１１３）は、重複期間において第１活動量のレベルと第２活動量のレベルとが適合するように、第１活動量と第２活動量とのうち少なくとも一方を調整し、少なくとも一方が調整された第１活動量と第２活動量とを統合する。
2019116834.tif 000002
【特許請求の範囲】
【請求項１】
ユーザが第１センサを携帯している第１期間における前記第１センサの計測値に従って、前記第１期間における前記ユーザの活動量である第１活動量を時間別に取得する第１取得部と、
第２センサが設置された空間に前記ユーザが存在する第２期間における前記第２センサの計測値に従って、前記第２期間における前記ユーザの活動量である第２活動量を時間別に取得する第２取得部と、
前記第１期間における前記第１活動量と前記第２期間における前記第２活動量とを統合することにより、前記第１期間と前記第２期間とを含む包括期間における前記ユーザの活動量を時間別に取得する統合部とを備え、
前記統合部は、
前記第１期間と前記第２期間との重複期間において前記第１活動量のレベルと前記第２活動量のレベルとが適合するように、前記第１期間における前記第１活動量と前記第２期間における前記第２活動量とのうち少なくとも一方を調整し、
前記少なくとも一方が調整された前記第１活動量と前記第２活動量とを統合する
活動量取得システム。
【請求項２】
前記統合部は、前記第１期間における前記第１活動量、及び、前記第２期間における前記第２活動量のそれぞれ又は一方に対して、一定の乗数を掛ける乗算処理と一定の加数を加える加算処理とのうち少なくとも一方を適用することにより、前記第１期間における前記第１活動量と前記第２期間における前記第２活動量とのうち前記少なくとも一方を調整する
請求項１に記載の活動量取得システム。
【請求項３】
前記第１センサは、前記第１センサの加速度を計測する加速度センサである
請求項１又は２に記載の活動量取得システム。
【請求項４】
前記第１取得部は、
前記第１センサの計測値に従って、前記第１期間を特定し、
特定された前記第１期間における前記第１センサの計測値に従って、特定された前記第１期間における前記第１活動量を時間別に取得する
請求項３に記載の活動量取得システム。
【請求項５】
前記第２センサは、前記第２センサから送信された電波と、前記第２センサで受信された電波との差を計測する電波センサである
請求項１〜４のいずれか１項に記載の活動量取得システム。
【請求項６】
前記第２取得部は、
前記第２センサの計測値に従って、前記第２期間を特定し、
特定された前記第２期間における前記第２センサの計測値に従って、特定された前記第２期間における前記第２活動量を時間別に取得する
請求項５に記載の活動量取得システム。
【請求項７】
前記統合部は、前記重複期間における前記第１活動量と前記第２活動量とのそれぞれに対する信頼度に従って、前記重複期間における前記第１活動量と前記第２活動量とを統合する
請求項１〜６のいずれか１項に記載の活動量取得システム。
【請求項８】
前記統合部は、前記重複期間における前記第１活動量と前記第２活動量とのうち信頼度の高い方に、前記重複期間における前記第１活動量と前記第２活動量とを統合する
請求項７に記載の活動量取得システム。
【請求項９】
前記統合部は、
前記第１期間における前記第１活動量、及び、前記第２期間における前記第２活動量のうち少なくとも一方に従って、前記第１期間とも前記第２期間とも異なる第３期間における前記ユーザの活動量である第３活動量を特定し、
前記第１期間と前記第２期間と前記第３期間とを含む前記包括期間における前記ユーザの活動量を時間別に取得する
請求項１〜８のいずれか１項に記載の活動量取得システム。
【請求項１０】
ユーザが第１センサを携帯している第１期間における前記第１センサの計測値に従って、前記第１期間における前記ユーザの活動量である第１活動量を時間別に取得する第１取得ステップと、
第２センサが設置された空間に前記ユーザが存在する第２期間における前記第２センサの計測値に従って、前記第２期間における前記ユーザの活動量である第２活動量を時間別に取得する第２取得ステップと、
前記第１期間における前記第１活動量と前記第２期間における前記第２活動量とを統合することにより、前記第１期間と前記第２期間とを含む包括期間における前記ユーザの活動量を時間別に取得する統合ステップとを含み、
前記統合ステップでは、
前記第１期間と前記第２期間との重複期間において前記第１活動量のレベルと前記第２活動量のレベルとが適合するように、前記第１期間における前記第１活動量と前記第２期間における前記第２活動量とのうち少なくとも一方を調整し、
前記少なくとも一方が調整された前記第１活動量と前記第２活動量とを統合する
活動量取得方法。
【請求項１１】
請求項１０に記載の活動量取得方法をコンピュータに実行させるためのプログラム。
【発明の詳細な説明】
【技術分野】
【０００１】
本発明は、活動量を取得する活動量取得システム等に関する。
【背景技術】
【０００２】
特許文献１には、部屋の天井等に設置されたセンサにより検出された生体の動きに基づいて生体の身体活動量を推定する活動量推定システムが記載されている。また、特許文献２には、被験者の身体に装着され、加速度を計測し、被験者の活動量を計測する活動量計が記載されている。
【先行技術文献】
【特許文献】
【０００３】
【特許文献１】特開２０１７−０２３４４９号公報
【特許文献２】特開２０１４−２２３０９８号公報
【発明の概要】
【発明が解決しようとする課題】
【０００４】
しかしながら、部屋の天井等に設置されたセンサでは、部屋にユーザが存在しない場合、ユーザの活動量を取得することは困難である。また、加速度を計測するセンサでは、ユーザがセンサを携帯していない場合、ユーザの活動量を取得することは困難である。したがって、ユーザの活動量の連続的な推移を適切に取得することは容易ではない。【０００５】
そこで、本発明は、ユーザの活動量の連続的な推移を適切に取得することができる活動量取得システム等を提供することを目的とする。
【課題を解決するための手段】
【０００６】
本発明の一態様に係る活動量取得システムは、ユーザが第１センサを携帯している第１期間における前記第１センサの計測値に従って、前記第１期間における前記ユーザの活動量である第１活動量を時間別に取得する第１取得部と、第２センサが設置された空間に前記ユーザが存在する第２期間における前記第２センサの計測値に従って、前記第２期間における前記ユーザの活動量である第２活動量を時間別に取得する第２取得部と、前記第１期間における前記第１活動量と前記第２期間における前記第２活動量とを統合することにより、前記第１期間と前記第２期間とを含む包括期間における前記ユーザの活動量を時間別に取得する統合部とを備え、前記統合部は、前記第１期間と前記第２期間との重複期間において前記第１活動量のレベルと前記第２活動量のレベルとが適合するように、前記第１期間における前記第１活動量と前記第２期間における前記第２活動量とのうち少なくとも一方を調整し、前記少なくとも一方が調整された前記第１活動量と前記第２活動量とを統合する。【０００７】
また、本発明の一態様に係る活動量取得方法は、ユーザが第１センサを携帯している第１期間における前記第１センサの計測値に従って、前記第１期間における前記ユーザの活動量である第１活動量を時間別に取得する第１取得ステップと、第２センサが設置された空間に前記ユーザが存在する第２期間における前記第２センサの計測値に従って、前記第２期間における前記ユーザの活動量である第２活動量を時間別に取得する第２取得ステップと、前記第１期間における前記第１活動量と前記第２期間における前記第２活動量とを統合することにより、前記第１期間と前記第２期間とを含む包括期間における前記ユーザの活動量を時間別に取得する統合ステップとを含み、前記統合ステップでは、前記第１期間と前記第２期間との重複期間において前記第１活動量のレベルと前記第２活動量のレベルとが適合するように、前記第１期間における前記第１活動量と前記第２期間における前記第２活動量とのうち少なくとも一方を調整し、前記少なくとも一方が調整された前記第１活動量と前記第２活動量とを統合する。
【発明の効果】
【０００８】
本発明の一態様に係る活動量取得システム等は、ユーザの活動量の連続的な推移を適切に取得することができる。
【図面の簡単な説明】
【０００９】
【図１】図１は、実施の形態における活動量取得システムの構成を示すブロック図である。
【図２】図２は、実施の形態における活動量取得処理を示す概念図である。
【図３Ａ】図３Ａは、信頼度が低い第１活動量と信頼度が高い第２活動量とが統合された活動量の例を示すグラフである。
【図３Ｂ】図３Ｂは、信頼度が高い第１活動量と信頼度が低い第２活動量とが統合された活動量の例を示すグラフである。
【図４】図４は、第１活動量及び第２活動量の少なくとも一方に従って特定される第３活動量の例を示すグラフである。
【図５】図５は、実施の形態における活動量取得システムの動作を示すフローチャートである。
【発明を実施するための形態】
【００１０】
以下、本発明の実施の形態について、図面を用いて詳細に説明する。なお、以下で説明する実施の形態は、いずれも包括的又は具体的な例を示す。以下の実施の形態で示される数値、形状、材料、構成要素、構成要素の配置位置及び接続形態、動作の順序等は、一例であり、本発明を限定する主旨ではない。また、以下の実施の形態における構成要素のうち、最上位概念を示す独立請求項に記載されていない構成要素は、任意の構成要素として説明される。
【００１１】
また、以下の説明に用いられる複数の図面のそれぞれは、模式図であり、必ずしも厳密に正確な値等を示していない。
【００１２】
（実施の形態）
図１は、本実施の形態における活動量取得システムの構成を示すブロック図である。図１に示された活動量取得システム１１０は、ユーザの活動量を取得するシステムであって、第１取得部１１１、第２取得部１１２、及び、統合部１１３を備える。ユーザの活動量は、ユーザの体動量とも表現され得る。また、図１には、さらに、第１センサ１０１、及び、第２センサ１０２が示されている。
【００１３】
例えば、入出力回路、通信線又は通信網等を介して、第１センサ１０１から第１取得部１１１へ、第２センサ１０２から第２取得部１１２へ、第１取得部１１１から統合部１１３へ、第２取得部１１２から統合部１１３へ、各種情報が伝送される。情報を伝送するための通信には、有線通信が用いられてもよいし、無線通信が用いられてもよい。例えば、第１センサ１０１から第１取得部１１１へ、情報が無線通信によって随時伝送されてもよい。
【００１４】
第１センサ１０１は、各時間におけるユーザの活動量を取得するためのセンサであって、ユーザに携帯される。第１センサ１０１は、第１センサ１０１を携帯しているユーザの活動量を示す値を時間毎に計測する。例えば、第１センサ１０１は、活動量を示す値を１分毎に計測する。
【００１５】
また、第１センサ１０１は、ユーザの身体に装着されることで携帯されてもよいし、ユーザに持ち運ばれることにより携帯されてもよい。例えば、第１センサ１０１は、ユーザのポケット又はカバンに入れられて持ち運ばれてもよい。第１センサ１０１は、ユーザが携帯する携帯電話、スマートフォン、タブレット端末又は携帯端末等に内蔵されていてもよい。
【００１６】
また、第１センサ１０１は、第１センサ１０１の加速度を計測する加速度センサであってもよい。例えば、この場合、第１センサ１０１は、第１センサ１０１を携帯しているユーザの活動量を示す加速度を計測する。この加速度は、ユーザが第１センサ１０１を携帯しているか否かを示し得る。また、第１センサ１０１は、互いに垂直な３つの方向のそれぞれに対する第１センサ１０１の加速度を計測する３軸加速度センサであってもよい。
【００１７】
また、第１センサ１０１は、第１センサ１０１の加速度等を計測し、さらに、計測された加速度等に従って、ユーザの活動量を計測してもよい。例えば、第１センサ１０１は、計測された加速度等に対して数値解析及び量子化等のデータ処理を適用することにより得られる値をユーザの活動量として計測してもよい。また、第１センサ１０１は、第１センサ１０１の加速度等をユーザの活動量として計測してもよい。
【００１８】
また、第１センサ１０１は、加速度センサではなく、位置センサであってもよい。そして、第１センサ１０１は、位置の変化量を活動量として計測してもよい。また、第１センサ１０１は、第１センサ１０１を携帯しているユーザの活動量を示す値を計測する加速度センサ又は位置センサ等と、ユーザが第１センサ１０１を携帯しているか否かを示し得る値を計測する温度センサ又は圧力センサ等とを含んでいてもよい。
【００１９】
第２センサ１０２は、各時間におけるユーザの活動量を取得するためのセンサであって、空間に設置される。第２センサ１０２は、第２センサ１０２が設置された空間に存在するユーザの活動量を示す値を時間毎に計測する。第２センサ１０２は、第１センサ１０１と同様に、活動量を示す値を１分毎に計測してもよい。
【００２０】
また、第２センサ１０２が設置される空間は、ユーザが存在し得る空間である。この空間は、ユーザの家であってもよいし、ユーザの部屋であってもよいし、ユーザの事務所であってもよい。第２センサ１０２は、ユーザの部屋の天井に設置されていてもよいし、ユーザの部屋におけるベッドの下に設置されてもよい。また、第２センサ１０２は、エアコン等の家電製品に内蔵されていてもよい。
【００２１】
また、第２センサ１０２は、第２センサ１０２から送信された電波と、第２センサ１０２で受信された電波との差を計測する電波センサであってもよい。このような電波センサは、ドップラーセンサとも呼ばれる。
【００２２】
例えば、第２センサ１０２から送信された電波は、ユーザで反射して、第２センサ１０２で受信される。そして、ユーザが動いている場合、ドップラー効果によって、第２センサ１０２から送信された電波の周波数と、第２センサ１０２で受信された電波の周波数との間に差が発生する。この周波数の差は、ユーザの移動速度を示す。すなわち、この周波数の差は、ユーザの活動量を示す。第２センサ１０２は、このようなユーザの活動量を示す差を計測してもよい。
【００２３】
また、第２センサ１０２は、送信電波と受信電波との差等を計測し、さらに、計測された差等に従って、ユーザの活動量を計測してもよい。例えば、第２センサ１０２は、計測された差等に対して数値解析及び量子化等のデータ処理を適用することにより得られる値をユーザの活動量として計測してもよい。また、第２センサ１０２は、送信電波と受信電波との差等をユーザの活動量として計測してもよい。
【００２４】
また、上記の送信電波と受信電波との差は、ユーザの位置の移動に限らず、ユーザの体表面の動きの影響を受け、ユーザの心拍及び呼吸等を示し得る。そのため、第２センサ１０２は、送信電波と受信電波との差を計測することにより、第２センサ１０２が設置された空間にユーザが存在するか否かを示す値を計測することができる。
【００２５】
これにより、第２センサ１０２は、第２センサ１０２が設置された空間にユーザが存在するか否かを示す値を計測することができ、かつ、第２センサ１０２が設置された空間におけるユーザの活動量を示す値を計測することができる。例えば、第２センサ１０２が設置された空間にユーザが動かずに存在する場合、第２センサ１０２は、第２センサ１０２が設置された空間にユーザが存在することを示す値を計測することができ、かつ、ユーザの活動量として０を示す値を計測することができる。
【００２６】
例えば、送信電波と受信電波との差が小さく又は細かく変動している場合、第２センサ１０２は、送信電波と受信電波との差をユーザの心拍及び呼吸等として計測してもよい。そして、送信電波と受信電波との差が大きく又は粗く変動している場合、第２センサ１０２は、送信電波と受信電波との差をユーザの移動等として計測してもよい。
【００２７】
また、第２センサ１０２は、電波センサではなく、空間に設置されるイメージセンサであってもよい。そして、第２センサ１０２は、空間の画像に従って、空間における動きの量を計測してもよい。このような動きの量は、空間におけるユーザの活動量を示す。
【００２８】
第１取得部１１１は、第１センサ１０１の計測値に従って、ユーザの活動量を時間別に取得する情報処理部である。すなわち、第１取得部１１１は、各時間（例えば１分毎）について、第１センサ１０１の計測値に従って、ユーザの活動量を取得する。第１取得部１１１は、電気回路で構成されていてもよい。
【００２９】
例えば、第１取得部１１１は、第１センサ１０１の計測値を時間別に取得する。第１取得部１１１は、第１センサ１０１の計測値をリアルタイムに取得することに限らず、複数の時間における第１センサ１０１の複数の計測値を取得してもよい。そして、第１取得部１１１は、ユーザが第１センサ１０１を携帯している第１期間における第１センサ１０１の計測値に従って、第１期間におけるユーザの活動量である第１活動量を時間別に取得する。
【００３０】
また、第１取得部１１１は、第１期間における第１センサ１０１の計測値に対して数値解析及び量子化等のデータ処理を適用することにより得られる値を第１期間における第１活動量として取得してもよい。また、第１センサ１０１は、第１期間における第１センサ１０１の計測値を第１期間における第１活動量として取得してもよい。
【００３１】
また、第１取得部１１１は、第１センサ１０１の計測値に従って、ユーザが第１センサ１０１を携帯している第１期間を特定してもよい。
【００３２】
例えば、第１センサ１０１が加速度センサである場合、第１取得部１１１は、第１センサ１０１で計測された加速度を取得してもよい。そして、第１取得部１１１は、計測された加速度が閾値以下である状態が所定期間以上長く続く期間をユーザが第１センサ１０１を携帯していない期間として特定し、その他の期間をユーザが第１センサ１０１を携帯している第１期間として特定してもよい。
【００３３】
具体的には、第１取得部１１１は、計測された加速度が０である状態が１時間以上長く続く期間をユーザが第１センサ１０１を携帯していない期間として特定し、その他の期間をユーザが第１センサ１０１を携帯している第１期間として特定してもよい。
【００３４】
また、第１センサ１０１によって加速度が計測され、第１取得部１１１は、計測された加速度が第１閾値よりも大きい期間を第１期間として特定してもよい。そして、第１取得部１１１は、計測された加速度が、第１閾値よりも大きな第２閾値よりも大きい場合、計測された加速度に従って、０よりも大きい活動量をユーザの活動量として取得してもよい。つまり、第１取得部１１１は、計測された加速度が第１閾値よりも大きく第２閾値よりも小さい場合、ユーザが実質的に動いておらず第１センサ１０１を携帯していると判定してもよい。
【００３５】
また、第１センサ１０１が温度センサを含む場合、第１取得部１１１は、体温に近い所定範囲の温度が第１センサ１０１によって計測された期間を第１期間として特定してもよい。また、第１センサ１０１が圧力センサを含む場合、第１取得部１１１は、第１センサ１０１の装着によって発生する所定範囲の圧力が第１センサ１０１によって計測された期間を第１期間として特定してもよい。
【００３６】
上記のような動作によって、第１取得部１１１は、ユーザが第１センサ１０１を携帯し、かつ、ユーザが実質的に動いていない場合のユーザの活動量を０として取得することができる。つまり、第１取得部１１１は、第１センサ１０１の計測値に従って取得される活動量が０である期間の一部をユーザが第１センサ１０１を携帯している第１期間の一部として特定することができる。
【００３７】
また、第１取得部１１１は、第１センサ１０１から通信を介して第１センサ１０１の計測値を取得してもよい。この場合、第１取得部１１１は、通信のための通信端子又はアンテナを有していてもよい。あるいは、第１取得部１１１は、記録媒体を介して第１センサ１０１の計測値を取得してもよい。この場合、第１取得部１１１は、記録媒体に接続するための接続インタフェースを有していてもよい。
【００３８】
第２取得部１１２は、第２センサ１０２の計測値に従って、ユーザの活動量を時間別に取得する情報処理部である。すなわち、第２取得部１１２は、各時間（例えば１分毎）について、第２センサ１０２の計測値に従って、ユーザの活動量を取得する。第２取得部１１２は、電気回路で構成されていてもよい。
【００３９】
例えば、第２センサ１０２の計測値を時間別に取得する。第２取得部１１２は、第２センサ１０２の計測値をリアルタイムに取得することに限らず、複数の時間における第２センサ１０２の複数の計測値を取得してもよい。そして、第２取得部１１２は、第２センサ１０２が設置された空間にユーザが存在する第２期間における第２センサ１０２の計測値に従って、第２期間におけるユーザの活動量である第２活動量を時間別に取得する。
【００４０】
また、第２取得部１１２は、第２期間における第２センサ１０２の計測値に対して数値解析及び量子化等のデータ処理を適用することにより得られる値を第２期間における第２活動量として取得してもよい。また、第２センサ１０２は、第２期間における第２センサ１０２の計測値を第２期間における第２活動量として取得してもよい。
【００４１】
また、第２取得部１１２は、第２センサ１０２の計測値に従って、第２センサ１０２が設置された空間にユーザが存在する第２期間を特定してもよい。例えば、第２センサ１０２が電波センサである場合、第２取得部１１２は、第２センサ１０２が設置された空間にユーザが存在するか否かを示す値を第２センサ１０２の計測値として取得してもよい。そして、第２取得部１１２は、第２センサ１０２が設置された空間にユーザが存在することを第２センサ１０２の計測値が示す期間を第２期間として特定してもよい。
【００４２】
例えば、送信電波と受信電波との差が第２センサ１０２で計測され、第２取得部１１２は、計測された差が第１閾値よりも大きい期間を第２期間として特定してもよい。そして、第２取得部１１２は、計測された差が、第１閾値よりも大きな第２閾値よりも大きい場合、計測された差に従って、０よりも大きい活動量をユーザの活動量として取得してもよい。
【００４３】
つまり、第２取得部１１２は、計測された差が第１閾値よりも大きく第２閾値よりも小さい場合、ユーザが実質的に動かずに、第２センサ１０２が設置された空間に存在する判定してもよい。
【００４４】
上記のような動作によって、第２取得部１１２は、第２センサ１０２が設置された空間にユーザが存在し、かつ、ユーザが実質的に動いていない場合のユーザの活動量を０として取得することができる。つまり、第２取得部１１２は、第２センサ１０２の計測値に従って取得される活動量が０である期間の一部を第２センサ１０２が設置された空間にユーザが存在する第２期間の一部として特定することができる。
【００４５】
また、第２取得部１１２は、第２センサ１０２から通信を介して第２センサ１０２の計測値を取得してもよい。この場合、第２取得部１１２は、通信のための通信端子又はアンテナを有していてもよい。あるいは、第２取得部１１２は、記録媒体を介して第２センサ１０２の計測値を取得してもよい。この場合、第２取得部１１２は、記録媒体に接続するための接続インタフェースを有していてもよい。
【００４６】
統合部１１３は、第１期間における第１活動量と第２期間における第２活動量とを統合することにより、第１期間と第２期間とを含む包括期間におけるユーザの活動量を時間別に取得する情報処理部である。
【００４７】
つまり、統合部１１３は、第１センサ１０１の測定値に従って取得された第１活動量と、第２センサ１０２の測定値に従って取得された第２活動量とを統合する。これにより、第１センサ１０１の測定値に基づく第１活動量と、第２センサ１０２の測定値に基づく第２活動量とが一箇所で統合される。そして、統合部１１３は、包括期間における各時間（例えば１分毎）について、ユーザの活動量を取得する。
【００４８】
また、統合部１１３は、統合において、第１期間における第１活動量と第２期間における第２活動量とのうち少なくとも一方を調整することにより、第１期間と第２期間との重複期間において第１活動量のレベルと第２活動量のレベルとを適合させる。つまり、統合部１１３は、第１期間と第２期間との重複期間において第１活動量のレベルと第２活動量のレベルとが適合するように、第１期間における第１活動量と第２期間における第２活動量とのうち少なくとも一方を調整する。
【００４９】
ここで、重複期間における第１活動量のレベルは、重複期間における第１活動量の大きさの度合いであって、重複期間における第１活動量の累積値、平均値、最大値又は最小値等であってもよい。同様に、重複期間における第２活動量のレベルは、重複期間における第２活動量の大きさの度合いであって、重複期間における第２活動量の累積値、平均値、最大値又は最小値等であってもよい。
【００５０】
例えば、調整において、統合部１１３は、第１期間における第１活動量に一定の乗数を掛けてもよいし、第２期間における第２活動量に一定の乗数を掛けてもよい。あるいは、統合部１１３は、第１期間における第１活動量に一定の加数を加えてもよいし、第２期間における第２活動量に一定の加数を加えてもよい。あるいは、統合部１１３は、これらの加算処理及び乗算処理の組み合わせを第１期間における第１活動量及び第２期間における第２活動量の少なくとも一方に適用してもよい。
【００５１】
上記の一定の乗数は、１よりも小さい値であってもよいし、上記の一定の加数は、０よりも小さい値であってもよい。そして、統合部１１３は、少なくとも一方が調整された第１活動量と第２活動量とを統合する。これにより、統合部１１３は、第１期間と第２期間とを含む包括期間におけるユーザの活動量を時間別に取得する。
【００５２】
また、例えば、統合部１１３は、第１期間と第２期間とを統合することにより取得された活動量を示す活動量情報を出力する。統合部１１３は、活動量情報を通信によって送信することにより、活動量情報を出力してもよい。この場合、統合部１１３は、通信のための通信端子又はアンテナを有していてもよい。あるいは、統合部１１３は、記録媒体へ活動量情報を出力してもよい。この場合、統合部１１３は、記録媒体に接続するための接続インタフェースを有していてもよい。
【００５３】
あるいは、統合部１１３は、ディスプレイに表示することにより、活動量情報を出力してもよい。このディスプレイは、活動量取得システム１１０に含まれていてもよいし、統合部１１３に含まれていてもよいし、他のシステムに含まれていてもよい。活動量情報は、ユーザの安否の確認、ユーザの生活パターンの確認、及び、ユーザの健康状態の確認等に用いられ得る。また、活動量情報は、ユーザの生活パターンに従って、家電を稼働させるための情報として用いられてもよい。
【００５４】
活動量取得システム１１０は、上述した通り、第１取得部１１１、第２取得部１１２及び統合部１１３を備える。活動量取得システム１１０は、例えば、プロセッサおよびメモリ等を備えるコンピュータシステムである。第１取得部１１１、第２取得部１１２及び統合部１１３は、プロセッサおよびメモリ等によって実現されてもよい。
【００５５】
また、活動量取得システム１１０は、１つの装置であってもよいし、複数の装置で構成されていてもよい。また、活動量取得システム１１０は、第２センサ１０２が設置される空間に設置されていてもよいし、その他の空間に設置されていてもよい。また、ここでは、活動量取得システム１１０は、１人のユーザの活動量を取得しているが、複数のユーザのそれぞれの活動量を取得してもよい。
【００５６】
また、第１取得部１１１及び第２取得部１１２は、共通の取得部を構成していてもよい。また、第１取得部１１１、第２取得部１１２及び統合部１１３が、１つの情報処理部を構成していてもよい。また、活動量取得システム１１０は、さらに、第１センサ１０１を含んでもよいし、第２センサ１０２を含んでもよい。また、活動量取得システム１１０は、ユーザ毎に第１センサ１０１を含んでもよいし、ユーザ毎に第２センサ１０２を含んでもよい。
【００５７】
また、活動量取得システム１１０は、第１センサ１０１と共に、携帯電話、スマートフォン、タブレット端末又は携帯端末等に含まれていてもよい。あるいは、活動量取得システム１１０は、第２センサ１０２と共に、エアコン等に含まれていてもよい。
【００５８】
図２は、図１に示された活動量取得システム１１０によって行われる活動量取得処理を示す概念図である。図２のように、第１センサ１０１から、ユーザが第１センサ１０１を携帯している第１期間における第１活動量が取得される。この例では、２１：００までの第１期間における第１活動量が取得されている。また、第２センサ１０２から、第２センサ１０２が設置された空間にユーザが存在する第２期間における第２活動量が取得される。この例では、２０：００から現在までの第２期間における第２活動量が取得されている。
【００５９】
第１期間及び第２期間において実際の活動量が大きく変化していない場合でも、第１センサ１０１の特性と、第２センサ１０２の特性との違いによって、第１期間における第１活動量のレベルと、第２期間における第２活動量のレベルとが異なる可能性がある。したがって、第１期間における第１活動量と、第２期間における第２活動量とが単純に繋ぎ合わされても、第１期間及び第２期間を含む包括期間における活動量の推移が適切に得られない可能性がある。
【００６０】
そこで、統合部１１３は、第１活動量のレベル及び第２活動量のレベルを調整する。例えば、第１期間と第２期間との重複期間における第１活動量と第２活動量とは、同じ活動量に基づいており、理想的には互いに等しい。したがって、統合部１１３は、この重複期間における第１活動量のレベルと第２活動量のレベルとが適合するように、第１期間における第１活動量と、第２期間における第２活動量とのうち少なくとも一方を調整する。
【００６１】
これにより、統合部１１３は、重複期間における第１活動量のレベルと第２活動量のレベルとを近づけ、重複期間における第１活動量のレベルと第２活動量のレベルとを一致又は略一致させる。言い換えれば、統合部１１３は、重複期間における第１活動量のレベルと第２活動量のレベルとの差を閾値以下にする。
【００６２】
例えば、統合部１１３は、重複期間における第２活動量のレベルに対する、重複期間における第１活動量のレベルの比率を算出し、算出された比率を第２期間の各時間における第２活動量に掛けてもよい。あるいは、統合部１１３は、重複期間における第１活動量のレベルに対する、重複期間における第２活動量のレベルの比率を算出し、算出された比率を第１期間の各時間における第１活動量に掛けてもよい。
【００６３】
あるいは、統合部１１３は、重複期間における第１活動量のレベルから、重複期間における第２活動量のレベルを引くことで平均的な差分値を算出し、算出された差分値を第２期間の各時間における第２活動量に加えてもよい。あるいは、統合部１１３は、重複期間における第２活動量のレベルから、重複期間における第１活動量のレベルを引くことで平均的な差分値を算出し、算出された差分値を第１期間の各時間における第１活動量に加えてもよい。
【００６４】
さらに、統合部１１３は、重複期間の各時間において第１活動量のレベルと第２活動量のレベルとがより近づくように、第１活動量又は第２活動量に対して、一定の乗数を掛ける乗算処理、及び、一定の加数を加える加算処理の組み合わせを適用してもよい。さらに、統合部１１３は、第１活動量及び第２活動量のそれぞれに対して、乗算処理及び加算処理の組み合わせを適用してもよい。
【００６５】
統合部１１３は、重複期間に限らす、第１期間又は第２期間の全体に対して、調整を適用することにより、第１センサ１０１の特性と、第２センサ１０２の特性との違いによって発生する弊害を抑制することができる。
【００６６】
そして、統合部１１３は、少なくとも一方が調整された第１活動量と第２活動量とを統合する。これにより、統合部１１３は、第１期間及び第２期間を含む包括期間におけるユーザの活動量を適切に取得することができる。
【００６７】
図２の例において、統合部１１３は、２０：００から２１：００までの重複期間において第１活動量のレベルと第２活動量のレベルとが適合するように、第２期間における第２活動量を調整している。そして、統合部１１３は、第１活動量と、調整された第２活動量とを統合することにより、第１期間及び第２期間を含む包括期間におけるユーザの活動量を取得する。
【００６８】
また、例えば、日によって、ユーザが第１センサ１０１を携帯する方法が異なる可能性があり、また、日によって、第２センサ１０２が設置された空間においてユーザが存在する位置が異なる可能性がある。したがって、統合部１１３は、第１活動量又は第２活動量を調整するための一定の乗数又は一定の加数等の調整係数を日毎に特定してもよい。あるいは、統合部１１３は、第１期間と第２期間との重複期間が発生する度に、調整係数を特定してもよい。
【００６９】
なお、統合部１１３は、重複期間の各時間について、第１活動量と第２活動量とを第１活動量と第２活動量との平均値に統合してもよい。あるいは、統合部１１３は、重複期間について、第１活動量及び第２活動量のそれぞれに対する信頼度に基づいて、第１活動量と第２活動量とを第１活動量と第２活動量とのうち一方に統合してもよい。活動量に対する信頼度は、活動量の確からしさの度合いを意味する。
【００７０】
図３Ａは、図１に示された活動量取得システム１１０によって信頼度が低い第１活動量と信頼度が高い第２活動量とが統合された活動量の例を示すグラフである。例えば、ユーザが第１センサ１０１をどのように携帯するかによって、第１センサ１０１の計測値が変化するため、第１センサ１０１の計測値に従って取得される第１活動量の信頼度が低い場合がある。また、第２センサ１０２の計測精度が高く、第２センサ１０２の計測値に従って取得される第２活動量の信頼度が高い場合がある。
【００７１】
このような場合、第１期間と第２期間との重複期間において、第２活動量が採用される。すなわち、図３Ａのように、統合部１１３は、重複期間において、第１活動量と第２活動量とを第２活動量に統合する。
【００７２】
図３Ｂは、図１に示された活動量取得システム１１０によって信頼度が高い第１活動量と信頼度が低い第２活動量とが統合された活動量の例を示すグラフである。例えば、第１センサ１０１は、ユーザに付帯し、障害物などの影響を受けないため、第１センサ１０１の計測値に従って取得される第１活動量の信頼度が高い場合がある。また、第２センサ１０２の計測精度が低く、第２センサ１０２の計測値に従って取得される第２活動量の信頼度が低い場合がある。
【００７３】
このような場合、第１期間と第２期間との重複期間において、第１活動量が採用される。すなわち、図３Ｂのように、統合部１１３は、重複期間において、第１活動量と第２活動量とを第１活動量に統合する。
【００７４】
図３Ａ及び図３Ｂの各例において、統合部１１３は、重複期間について、第１活動量及び第２活動量のそれぞれに対する信頼度に基づいて、第１活動量と第２活動量とを第１活動量と第２活動量とのうち一方に統合している。しかしながら、統合部１１３は、重複期間について、第１活動量の信頼度と第２活動量の信頼度とに基づく重み付け平均値によって、第１活動量と第２活動量とを統合してもよい。
【００７５】
また、第１活動量及び第２活動量のそれぞれに対する信頼度は、予め定められてもよい。第１期間及び第２期間のそれぞれについて、期間が長いほど、信頼度がより高く定められてもよい。
【００７６】
また、ユーザが第１センサ１０１を携帯している第１期間とも、第２センサ１０２が設置された空間にユーザが存在する第２期間とも異なる第３期間が存在する可能性がある。統合部１１３は、さらに、第１期間とも第２期間とも異なる第３期間におけるユーザの活動量である第３活動量を第１活動量及び第２活動量の少なくとも一方に従って特定してもよい。
【００７７】
図４は、図１に示された活動量取得システム１１０によって第１活動量及び第２活動量の少なくとも一方に従って特定される第３活動量の例を示すグラフである。この例において、１６：３０から１７：３０までの期間が、第１期間とも第２期間とも異なる第３期間である。つまり、１６：３０から１７：３０までの第３期間は、ユーザが第１センサ１０１を携帯している第１期間とも、第２センサ１０２が設置された空間にユーザが存在する第２期間とも異なる。
【００７８】
この例において、活動量取得システム１１０の統合部１１３は、第１期間における第１活動量及び第２期間における第２活動量によって、第３期間における第３活動量を特定している。より具体的には、統合部１１３は、１６：３０における第２活動量及び１７：３０における第１活動量によって、１６：３０から１７：３０までの第３活動量を線形的に予測することにより、第３期間における第３活動量を内挿している。
【００７９】
これにより、統合部１１３は、第３期間における第３活動量を補完する。そして、統合部１１３は、第１期間と第２期間と第３期間とを含む包括期間におけるユーザの活動量を時間別に取得する。
【００８０】
上述した通り、この例では、１６：３０における第２活動量及び１７：３０における第１活動量によって、１６：３０から１７：３０までの第３活動量が線形的に予測されている。しかしながら、１６：３０における第２活動量と、１７：３０における第１活動量との平均値によって、第３期間における第３活動量が内挿されてもよい。あるいは、１６：３０における第２活動量、又は、１７：３０における第１活動量によって、第３期間における第３活動量が内挿されてもよい。
【００８１】
また、この例では、重複期間における第１活動量のレベルと第２活動量のレベルとが適合するように、第１活動量と第２活動量とのうち少なくとも一方が調整された後、第１活動量及び第２活動量によって、第３期間における第３活動量が特定されている。しかしながら、調整前に、第１活動量又は第２活動量によって、第３期間における第３活動量が特定されてもよい。そして、特定された第３活動量が、第３活動量の特定に用いられた第１活動量又は第２活動量と同様に調整されてもよい。
【００８２】
図５は、図１に示された活動量取得システム１１０の動作を示すフローチャートである。活動量取得システム１１０は、図５に示された動作を行うことにより、ユーザの活動量を取得する。
【００８３】
まず、第１取得部１１１は、ユーザが第１センサ１０１を携帯している第１期間における第１センサ１０１の計測値に従って、第１期間におけるユーザの活動量である第１活動量を時間別に取得する（Ｓ１０１）。第１取得部１１１は、第１活動量を取得する際、第１センサ１０１の計測値に従って、第１期間を特定してもよい。そして、第１取得部１１１は、特定された第１期間における第１センサ１０１の計測値に従って、特定された第１期間における第１活動量を時間別に取得してもよい。
【００８４】
次に、第２取得部１１２は、第２センサ１０２が設置された空間にユーザが存在する第２期間における第２センサ１０２の計測値に従って、第２期間におけるユーザの活動量である第２活動量を時間別に取得する（Ｓ１０２）。第２取得部１１２は、第２活動量を取得する際、第２センサ１０２の計測値に従って、第２期間を特定してもよい。そして、第２取得部１１２は、特定された第２期間における第２センサ１０２の計測値に従って、特定された第２期間における第２活動量を時間別に取得してもよい。
【００８５】
なお、第１取得部１１１が第１活動量を取得する前に、第２取得部１１２が第２活動量を取得してもよい。また、第１取得部１１１と第２取得部１１２とが、並行して、第１活動量及び第２活動量を取得してもよい。
【００８６】
次に、統合部１１３は、第１期間と第２期間との重複期間において第１活動量のレベルと第２活動量のレベルとが適合するように、第１期間における第１活動量と第２期間における第２活動量とのうち少なくとも一方を調整する（Ｓ１０３）。つまり、統合部１１３は、第１期間における第１活動量と第２期間における第２活動量とのうち少なくとも一方を調整することにより、第１期間と第２期間との重複期間において第１活動量のレベルと第２活動量のレベルとを適合させる。
【００８７】
統合部１１３は、第１期間における第１活動量、及び、第２期間における第２活動量のそれぞれ又は一方に、一定の乗数を掛ける乗算処理と一定の加数を加える加算処理とのうち少なくとも一方を適用することにより、上記の調整を行ってもよい。
【００８８】
次に、統合部１１３は、第１期間における第１活動量と第２期間における第２活動量とを統合することにより、第１期間と第２期間とを含む包括期間におけるユーザの活動量を時間別に取得する（Ｓ１０４）。その際、統合部１１３は、少なくとも一方が調整された第１活動量と第２活動量とを統合する。
【００８９】
また、統合部１１３は、第１活動量と第２活動量との統合において、重複期間における第１活動量と第２活動量とのそれぞれに対する信頼度に従って、重複期間における第１活動量と第２活動量とを統合してもよい。例えば、統合部１１３は、重複期間における第１活動量と第２活動量とのうち信頼度の高い方に、重複期間における第１活動量と第２活動量とを統合してもよい。
【００９０】
また、統合部１１３は、第１期間における第１活動量、及び、第２期間における第２活動量のうち少なくとも一方に従って、第１期間とも第２期間とも異なる第３期間におけるユーザの活動量である第３活動量を特定してもよい。そして、統合部１１３は、第１期間と第２期間と第３期間とを含む包括期間におけるユーザの活動量を時間別に取得してもよい。
【００９１】
活動量取得システム１１０は、上記の動作を行うことにより、ユーザの活動量を連続してシームレスに取得することができる。
【００９２】
以上、本発明の一態様における活動量取得システム１１０について、実施の形態等に従って説明したが、本発明は、実施の形態等に限定されない。実施の形態等に対して当業者が思いつく変形を施して得られる形態、及び、実施の形態等における複数の構成要素を任意に組み合わせて実現される別の形態も本発明に含まれる。
【００９３】
例えば、特定の構成要素が実行する処理を別の構成要素が実行してもよい。また、処理を実行する順番が変更されてもよいし、複数の処理が並行して実行されてもよい。
【００９４】
また、本発明は、活動量取得システム１１０として実現できるだけでなく、活動量取得システム１１０を構成する各構成要素が行うステップを含む活動量取得方法として実現できる。例えば、それらのステップは、プロセッサ、メモリ及び入出力回路等を備えるコンピュータシステムによって実行される。そして、本発明は、それらの方法に含まれるステップを、コンピュータシステムに実行させるためのプログラムとして実現できる。なお、コンピュータシステムは、単にコンピュータと表現される場合がある。
【００９５】
また、本発明は、上記のプログラムを記録した非一時的なコンピュータ読み取り可能な記録媒体として実現できる。記録媒体は、ＣＤ−ＲＯＭ等の光ディスクでもよいし、ハードディスドライブ等の磁気ディスクでもよいし、光磁気ディスク（ＭＯ）でもよいし、フラッシュメモリ等の半導体メモリでもよいし、他の非一時的なコンピュータ読み取り可能な記録媒体でもよい。また、プログラムは、記録媒体に予め記録されていてもよいし、通信ネットワークを介して記録媒体に供給されることで記録媒体に記録されてもよい。
【００９６】
例えば、本発明が、プログラムで実現される場合には、コンピュータシステムのプロセッサ、メモリ及び入出力回路等のハードウェア資源を利用してプログラムが実行されることによって、各ステップが実行される。つまり、プロセッサがデータをメモリ又は入出力回路等から取得して演算したり、演算結果をメモリ又は入出力回路等に出力したりすることによって、各ステップが実行される。プログラムを実行するためのプロセッサとして、任意の種類のプロセッサが利用可能である。
【００９７】
また、活動量取得システム１１０等に含まれる複数の構成要素は、それぞれ、専用又は汎用の回路として実現されてもよい。これらの構成要素は、１つの回路として実現されてもよいし、複数の回路として実現されてもよい。
【００９８】
また、活動量取得システム１１０等に含まれる複数の構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。これらの構成要素は、個別に１チップ化されてもよいし、一部又は全てを含むように１チップ化されてもよい。これらの構成要素が、１つの装置の１以上のチップに設けられてもよいし、複数の装置の複数のチップに設けられてもよい。
【００９９】
また、ＬＳＩは、集積度の違いにより、システムＬＳＩ、スーパーＬＳＩ又はウルトラＬＳＩと呼称される場合がある。また、集積回路は、専用回路又は汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、又は、内部の回路セルの接続及び設定が再構成可能なリコンフィギュラブル・プロセッサが、利用されてもよい。
【０１００】
さらに、半導体技術の進歩又は派生する別技術によりＬＳＩに置き換わる集積回路化の技術が登場すれば、当然、その技術を用いて、活動量取得システム１１０に含まれる複数の構成要素の集積回路化が行われてもよい。
【０１０１】
最後に、活動量取得システム１１０等の複数の態様を例として示す。これらの態様は、適宜、組み合わされてもよい。また、上記の実施の形態等に示された任意の構成等が追加されてもよい。
【０１０２】
（第１態様）
本発明の一態様における活動量取得システム１１０は、第１取得部１１１と、第２取得部１１２と、統合部１１３とを備える。第１取得部１１１は、ユーザが第１センサ１０１を携帯している第１期間における第１センサ１０１の計測値に従って、第１期間におけるユーザの活動量である第１活動量を時間別に取得する。第２取得部１１２は、第２センサ１０２が設置された空間にユーザが存在する第２期間における第２センサ１０２の計測値に従って、第２期間におけるユーザの活動量である第２活動量を時間別に取得する。
【０１０３】
統合部１１３は、第１期間における第１活動量と第２期間における第２活動量とを統合することにより、第１期間と第２期間とを含む包括期間におけるユーザの活動量を時間別に取得する。その際、統合部１１３は、第１期間と第２期間との重複期間において第１活動量のレベルと第２活動量のレベルとが適合するように、第１期間における第１活動量と第２期間における第２活動量とのうち少なくとも一方を調整する。そして、統合部１１３は、少なくとも一方が調整された第１活動量と第２活動量とを統合する。
【０１０４】
これにより、活動量取得システム１１０は、第１センサ１０１がユーザに携帯されている第１期間と、第２センサ１０２が設置されている空間にユーザが存在する第２期間とを含む包括期間におけるユーザの活動量を取得することができる。また、活動量取得システム１１０は、ユーザに携帯される第１センサ１０１の特性と、空間に設置される第２センサ１０２の特性との違いによって活動量のレベルが変化することを抑制することができる。
【０１０５】
したがって、活動量取得システム１１０は、ユーザの活動量の連続的な推移を適切に取得することができる。
【０１０６】
（第２態様）
例えば、統合部１１３は、第１期間における第１活動量、及び、第２期間における第２活動量のそれぞれ又は一方に対して、一定の乗数を掛ける乗算処理と一定の加数を加える加算処理とのうち少なくとも一方を適用してもよい。そして、統合部１１３は、乗算処理と加算処理とのうち少なくとも一方の適用によって、第１期間における第１活動量と第２期間における第２活動量とのうち少なくとも一方を調整してもよい。
【０１０７】
これにより、活動量取得システム１１０は、第１期間における第１活動量の全体、又は、第２期間における第２活動量の全体をシンプルに調整することができる。
【０１０８】
（第３態様）
例えば、第１センサ１０１は、第１センサ１０１の加速度を計測する加速度センサであってもよい。これにより、活動量取得システム１１０は、ユーザが携帯している第１センサ１０１によって計測される加速度に従って、適切にユーザの活動量を取得することができる。
【０１０９】
（第４態様）
例えば、第１取得部１１１は、第１センサ１０１の計測値に従って、第１期間を特定し、特定された第１期間における第１センサ１０１の計測値に従って、特定された第１期間における第１活動量を時間別に取得してもよい。
【０１１０】
これにより、活動量取得システム１１０は、加速度センサである第１センサ１０１の計測値に従って、第１センサ１０１が携帯されている第１期間を特定することができる。加速度センサである第１センサ１０１の計測値は、ユーザに携帯されているか否かを示し得る。したがって、活動量取得システム１１０は、第１活動量を取得するための第１期間を適切に特定することができる。
【０１１１】
（第５態様）
例えば、第２センサ１０２は、第２センサ１０２から送信された電波と、第２センサ１０２で受信された電波との差を計測する電波センサであってもよい。これにより、活動量取得システム１１０は、送信電波と受信電波の差として第２センサ１０２で計測される値に従って、第２センサ１０２が設置された空間におけるユーザの活動量を適切に取得することができる。
【０１１２】
（第６態様）
例えば、第２取得部１１２は、第２センサ１０２の計測値に従って、第２期間を特定し、特定された第２期間における第２センサ１０２の計測値に従って、特定された第２期間における第２活動量を時間別に取得してもよい。
【０１１３】
これにより、活動量取得システム１１０は、電波センサである第２センサ１０２の計測値に従って、第２センサ１０２が設置された空間にユーザが存在する第２期間を特定することができる。電波センサである第２センサ１０２の計測値は、第２センサ１０２が設置された空間にユーザが存在するか否かを示し得る。したがって、活動量取得システム１１０は、第２活動量を取得するための第２期間を適切に特定することができる。
【０１１４】
（第７態様）
例えば、統合部１１３は、重複期間における第１活動量と第２活動量とのそれぞれに対する信頼度に従って、重複期間における第１活動量と第２活動量とを統合してもよい。これにより、活動量取得システム１１０は、信頼度に従って、重複期間における第１活動量と第２活動量とを適切に統合することができる。
【０１１５】
（第８態様）
例えば、統合部１１３は、重複期間における第１活動量と第２活動量とのうち信頼度の高い方に、重複期間における第１活動量と第２活動量とを統合してもよい。これにより、活動量取得システム１１０は、重複期間における第１活動量と第２活動量とのうち信頼度の高い方を採用することができる。したがって、活動量取得システム１１０は、信頼度の高い活動量を取得することができる。
【０１１６】
（第９態様）
例えば、統合部１１３は、第１期間における第１活動量、及び、第２期間における第２活動量のうち少なくとも一方に従って、第１期間とも第２期間とも異なる第３期間におけるユーザの活動量である第３活動量を特定してもよい。そして、統合部１１３は、第１期間と第２期間と第３期間とを含む包括期間におけるユーザの活動量を時間別に取得してもよい。
【０１１７】
これにより、活動量取得システム１１０は、第１センサ１０１をユーザが携帯しておらず、かつ、第２センサ１０２が設置された空間にユーザが存在しない第３期間におけるユーザの活動量を補完することができる。したがって、活動量取得システム１１０は、より長い期間におけるユーザの活動量の連続的な推移を適切に取得することができる。
【０１１８】
（第１０態様）
本発明の一態様における活動量取得方法は、第１取得ステップ（Ｓ１０１）と、第２取得ステップ（Ｓ１０２）と、統合ステップ（Ｓ１０３及びＳ１０４）とを含む。
【０１１９】
第１取得ステップ（Ｓ１０１）では、ユーザが第１センサ１０１を携帯している第１期間における第１センサ１０１の計測値に従って、第１期間におけるユーザの活動量である第１活動量を時間別に取得する。第２取得ステップ（Ｓ１０２）では、第２センサ１０２が設置された空間にユーザが存在する第２期間における第２センサ１０２の計測値に従って、第２期間におけるユーザの活動量である第２活動量を時間別に取得する。
【０１２０】
統合ステップ（Ｓ１０３及びＳ１０４）では、第１期間における第１活動量と第２期間における第２活動量とを統合することにより、第１期間と第２期間とを含む包括期間におけるユーザの活動量を時間別に取得する。その際、第１期間と第２期間との重複期間において第１活動量のレベルと第２活動量のレベルとが適合するように、第１期間における第１活動量と第２期間における第２活動量とのうち少なくとも一方が調整される。少なくとも一方が調整された第１活動量と第２活動量とが統合される。
【０１２１】
これにより、第１センサ１０１がユーザに携帯されている第１期間と、第２センサ１０２が設置されている空間にユーザが存在する第２期間とを含む包括期間におけるユーザの活動量を取得することが可能になる。また、ユーザに携帯される第１センサ１０１の特性と、空間に設置される第２センサ１０２の特性との違いによって活動量のレベルが変化することを抑制することが可能になる。したがって、ユーザの活動量の連続的な推移を適切に取得することが可能になる。
【０１２２】
（第１１態様）
本発明の一態様におけるプログラムは、活動量取得方法をコンピュータに実行させるためのプログラムである。
【０１２３】
これにより、コンピュータは、プログラムを実行することで、第１センサ１０１がユーザに携帯されている第１期間と、第２センサ１０２が設置されている空間にユーザが存在する第２期間とを含む包括期間におけるユーザの活動量を取得することができる。また、コンピュータは、ユーザに携帯される第１センサ１０１の特性と、空間に設置される第２センサ１０２の特性との違いによって活動量のレベルが変化することを抑制することができる。
【０１２４】
したがって、コンピュータは、ユーザの活動量の連続的な推移を適切に取得することができる。
【符号の説明】
【０１２５】
１０１  第１センサ
１０２  第２センサ
１１０  活動量取得システム
１１１  第１取得部
１１２  第２取得部
１１３  統合部
【図１】
2019116834.tif 000003
【図２】
2019116834.tif 000004
【図３Ａ】
2019116834.tif 000005
【図３Ｂ】
2019116834.tif 000006
【図４】
2019116834.tif 000007
【図５】
2019116834.tif 000008
【国際調査報告】
2019116834.tif 000009
2019116834.tif 000010